(57)【要約】本発明は、容器の開封を容易かつ確実に行うことができ、再封鎖時には開口部を衛生的に維持することのできる容器の封鎖構造、その封鎖構造の製造方法を提供することを課題とし、本発明の容器封鎖構造は、注ぎ部分（１２）とキャップ部分（１６）が連続して一体的に形成されていると共に、易破断部（１５）が形成され、注ぎ部分（１２）とキャップ（１６）が、内壁（１１）の上端部から下方に折り返してなる中間壁（１３）と、中間壁（１３）の下端部から上方に折り返してなる外壁（１４）とからなる。
2003057583.tif 000002
【特許請求の範囲】
【請求項１】
注ぎ部分とキャップ部分を連続して一体的に形成すると共に、易破断部を設けたことを特徴とする容器の封鎖構造。
【請求項２】
前記注ぎ部分と前記キャップ部分が、内壁の上端部から下方に折り返している中間壁と、該中間壁の下端部から上方に折り返している外壁とからなることを特徴とする請求項１に記載の容器の封鎖構造。
【請求項３】
係合部を形成したことを特徴とする請求項１または２に記載の容器の封鎖構造。
【請求項４】
前記係合部が螺子であることを特徴とする請求項３に記載の容器の封鎖構造。
【請求項５】
前記キャップ部に形成された螺子と、それと係合している螺子との連接する径路の途中部位に、ねじり力によって可撓なパネル形状を形成させたことを特徴とする請求項４に記載の容器の封鎖構造。
【請求項６】
前記係合部がアンダーカット構造であることを特徴とする請求項３に記載の容器の封鎖構造。
【請求項７】
前記易破断部を前記注ぎ部分と前記キャップ部分の境界に形成したことを特徴とする請求項１〜６のいずれかに記載の容器の封鎖構造。
【請求項８】
前記易破断部をスコアによって形成したことを特徴とする請求項１〜７のいずれかに記載の容器の封鎖構造。
【請求項９】
前記易破断部をスリットによって形成したことを特徴とする請求項１〜７のいずれかに記載の容器の封鎖構造。
【請求項１０】
前記キャップ部分内面と前記注ぎ部分との間に密封材を介在させたことを特徴とする請求項１〜９のいずれかに記載の容器の封鎖構造。
【請求項１１】
前記容器の封鎖構造が金属素材で形成されていることを特徴とする請求項１〜１０のいずれかに記載の容器の封鎖構造。
【請求項１２】
前記容器の封鎖構造がプラスチック素材で形成されていることを特徴とする請求項１〜１０のいずれかに記載の容器の封鎖構造。
【請求項１３】
請求項１〜１２のいずれかに記載の容器の封鎖構造を備えたことを特徴とする容器。
【請求項１４】
実質的に同軸で少なくとも一部分が他の部分と直径が異なる筒状部を一体的に形成する工程と、
該筒状部を軸方向に圧縮操作することにより折り返し変形を生じさせながら該筒状部の直径が大なる部分の内側に直径が小なる部分が配置され、内壁、中間壁、外壁からなる三重壁を形成する工程と、
該筒状部に易破断部を形成する工程とを含むことを特徴とする容器の封鎖構造の製造方法。
【請求項１５】
拡径操作により筒状部における直径が大なる部分を形成するか、または縮径操作により筒状部における直径が小なる部分を形成することを特徴とする請求項１４に記載の容器の封鎖構造の製造方法。
【請求項１６】
筒状部を軸方向に圧縮操作することにより折り返される部分が、予め他の部分よりも薄肉に形成されていることを特徴とする請求項１４または１５に記載の容器の封鎖構造の製造方法。
【請求項１７】
三重壁に螺子加工またはアンダーカット加工をして螺子係合部または嵌合係合部を形成することを特徴とする請求項１４〜１６のいずれかに記載の容器の封鎖構造の製造方法。
【請求項１８】
予め、キャップになる予定の部分ならびに注ぎ部分になる予定の部分のそれぞれに螺子もしくはアンダーカット形状を形成し、
筒状部を折り返す変形をおこなうことによって三重壁を形成するとともにそれぞれの螺子もしくはアンダーカット形状が係合することを特徴とする請求項１４〜１６のいずれかに記載の容器の封鎖構造の製造方法。
【請求項１９】
前記キャップ部になる予定の部分において螺子が形成される部分と、それが係合する螺子が形成される部分との連接する径路の途中部位に、ねじり力によって可撓なパネル形状を形成する工程を含むことを特徴とする請求項１７または１８に記載の容器の封鎖構造の製造方法。
【発明の詳細な説明】
技術分野
本発明は、飲料缶やプラスチックボトル等の飲料容器や、石油缶等の容器の封鎖構造に関し、更に詳しくは、その開口が容易で、かつ開封後の再封止ができる容器の封鎖構造、その封鎖構造を備えた容器及びその封鎖構造の製造方法に関する。
背景技術
ジュース缶、ビール缶、炭酸飲料缶、コーヒー飲料缶、紅茶飲料缶等の密封容器として、容器本体の開口端部にイージーオープン蓋を巻締めてなるものが広く使用されている。イージーオープン蓋には開口部（注ぎ部）を区画する易破断部（スコア）が形成されていて、蓋本体に設けられたリベットに固着された摘みタブを用いて易破断部を破断して押し下げ、飲み口等となる開口部を形成する。この従来の密封容器の場合、飲み残した時に開口部の再封鎖ができないので、残った飲料等は捨てるか、或いはコップ等に移して冷蔵庫内で保存するという手間を要し、また、蓋に異物が付着して不衛生になり易いという問題があった。そこで、この開口部の再封鎖を行うために、例えば以下のような技術のものが提案されている。
特開２０００−２９６８６６号公報には、容器缶蓋の開口部に着脱自在に冠着される樹脂製のキャップが、開口部の上端面と密着する部分を有する環状のフランジ部と、フランジ部から下方に延びてその内周面に開口部との係合部が形成された第一円筒部と、フランジ部から上方に延びる第二円筒部と、第二円筒部よりも内方で該円筒部とは間隔を隔てて同心的に設けられる円筒台状の押し釦部と、押し釦部の下端近傍から外方且つ上方に延びる栓部と、栓部の上端と第二円筒部の内周面を連結する薄い環状円錐板の可動連結部とを一体成形したものである再封鎖用キャップ付き容器が記載されている。ここでは、缶蓋の開口部とキャップの第一円筒部との係合によりキャップを着脱させると共に、キャップの押し釦部を上方から指で押圧して可動連結部を弾性変形させて押し釦部と栓部を下方に変位させて、ヒンジ部分となる一部分を除いて略環状に破断可能な弱化部（スコア）が形成されている金属製の容器に対して、弱化部を破断しつつ弱化部で囲まれた部分を缶体内に押し下げることで注出口を開封するようにしている。また、開口部を再封鎖する際には、可動連結部を弾性変形により死点を超えて下方に反転させ、キャップのフランジ部を缶蓋の開口部上端面に密着させて封止する。
しかしながら、特開２０００−２９６８６６号公報に示されるような従来の技術では、以下のような課題があった。
（１）樹脂製のキャップが容器本体とは別体に構成されているため、容器製造の際の工程が煩雑になり易く、生産性が悪いという問題点があった。
（２）使用前の輸送中等の振動や衝撃により、キャップが容器本体から脱落する場合があり、また、使用時における耐久性に乏しいという問題点があった。
（３）キャップの上から指で押圧して易破断部を開口させるので、力が弱く手先のおぼつかない幼児や高齢者等ではその開封を容易に行うことができず、また、キャップを外してみないとその開口状態を確認できないため、開口の確実性に欠けるという問題点があった。
（４）再封鎖時には、キャップと開口部との接合部分に埃やゴミ等の異物が溜まったり付着したりして不衛生になり易いという問題点があった。
（５）容器本体とキャップが異質な素材であって、廃棄する際に、分別を要するため不便であり、リサイクル性も乏しいという問題点があった。
本発明は、上記問題点の解決を課題とするもので、容器製造の際の生産性や、輸送中等における耐久性に優れた容器の封鎖構造を提供すると共に、幼児や高齢者等でも開封を容易かつ確実に行うことができ、再封鎖時には開口部を衛生的に維持することのできる容器の封鎖構造を備えた容器を提供することを目的とする。
発明の開示
請求項１に記載の容器の封鎖構造は、注ぎ部分とキャップ部分を連続して一体的に形成すると共に、易破断部を設けて構成されている。
注ぎ部分及びキャップ部分が連続して一体的に形成されているので、内容物充填後のキャップ部分における密封性の保証が完全になされ、さらに、容器製造の際の生産性や、輸送中等における耐久性に優れた容器の封鎖構造とすることができる。更にまた、単一の素材で構成されているので、容器を廃棄する際にも容器本体とキャップ部分を分別する必要がなく、リサイクル性、廃棄利便性にも優れている。更に易破断部が設けられているので、幼児や高齢者等でも容器の外側に配置された薄肉溝状やスリット状等に形成された易破断部を操作してその破断状態を観察しながら確実に開封できると共にタンパーエビデント性を有し、さらにまた再封鎖時にはキャップ部分を注ぎ部分に容易に装着して開口部を衛生的に維持できる。
請求項２に記載の容器の封鎖構造は、注ぎ部分とキャップ部分が、内壁の上端部から下方に折り返している中間壁と、該中間壁の下端部から上方に折り返している外壁とから構成されている。
この構成によって、開封することによって露出する注ぎ部分の上端は、内壁と中間壁との折り返しの曲率をもつため、注ぎ口からの内容品の注出がスムースであるだけでなく、直接注ぎ部分に口を付けて飲む（いわゆるラッパのみ）場合にも口を怪我するなどの不安が全くなく安全性にも優れている。
請求項３に記載の容器の封鎖構造は、係合部を形成して構成されている。
この構成によって、内壁と中間壁あるいは中間壁と外壁とが着脱可能に係合されるので、易破断部を分離した容器開封後における飲み残しなどを衛生的に保持させることができる。
請求項４に記載の容器の封鎖構造は、係合部が螺子で構成されている。この構成によって、内壁、中間壁、外壁間の何れかが互いに螺子係合され、着脱可能に装着されることにより、容器開封後の再封機能が確実になる。また、単にキャップ部分をねじ込むだけでよいので、特別の道具を必要とせず取り扱いに優れている。
請求項５に記載の容器の封鎖構造は、キャップ部に形成された螺子と、それと係合している螺子との連接する径路の途中部位に、ねじり力によって可撓なパネル部分が形成されている。
ねじり力によって可撓なパネルを以下では“ねじり可撓パネル”と称する。上記の構成によって、キャップ部をねじることでねじり可撓パネルの上下が圧縮されたように変形し、ねじりトルクによりねじの推力が生じる。このねじの推力による剪断応力に引張り応力が付加されることにより、易破断部が容易に破断されるという作用効果が生ずる。
請求項６に記載の容器の封鎖構造は、係合部がアンダーカット構造で構成されている。アンダーカット係合なので、ワンタッチ操作で着脱でき、幼児や高齢者でも容易に取り扱うことができる。
請求項７に記載の容器の封鎖構造は、易破断部を注ぎ部分とキャップ部分の境界に形成して構成されている。
この構成により、易破断部が破断して、キャップ部分が分離することで容器から内容物を注ぎ出すことが可能になると共に、分離したキャップ部分は、再封鎖する目的で再び利用可能になる。
請求項８に記載の容器の封鎖構造は、易破断部をスコアによって形成して構成されている。この構成により、確実かつ容易に易破断部を形成することが可能になる。
請求項９に記載の容器の封鎖構造は、易破断部をスリットによって形成して構成されている。この構成により、開封性を向上させる作用がある。なお、この場合密封性を確実にするために請求項１０に示すような密封材を用いることが好ましい。
請求項１０に記載の容器の封鎖構造は、キャップ部分内面と注ぎ部分との間に密封材を介在させて構成されている。この構成により、再封鎖時における密封性を向上させ、特にアンダーカット構造による係合の場合に有効である。
請求項１１に記載の容器の封鎖構造は、封鎖構造が金属素材で形成されて構成されている。加工性に優れた金属素材を適用でき、内壁、中間壁、外壁からなる三重壁を形成させる際の折り返し加工を容易にして、耐用性や耐漏洩性に優れた容器の密封構造を提供することができる。
請求項１２に記載の容器の封鎖構造は、容器の封鎖構造がプラスチック素材で形成されて構成されている。この構成によって、射出成形や押し出し成形等の成形法が適用でき、容器の封鎖構造を大量に製造する際の製造コストを引き下げることができる。
請求項１３に記載の容器は、請求項１〜１２のいずれかに記載の容器の封鎖構造を備えた容器で、容器の封鎖構造が、容器本体上部の開口部に接合されて構成されている。また、容器の封鎖構造が容器本体と一体に形成され、容器本体下部に底蓋部を接合して構成されている。このような構成により、内容品の充填密封は容器本体下部から行うことができ、従来形態の缶蓋を用いることができるため、既存の充填設備の大部分が利用可能である。
請求項１４に記載の容器の封鎖構造の製造方法は、実質的に同軸で少なくとも一部分が他の部分と直径が異なる筒状部を一体的に形成する工程と、
該筒状部を軸方向に圧縮操作することにより折り返し変形を生じさせながら該筒状部の直径が大なる部分の内側に直径が小なる部分が配置され、内壁、中間壁、外壁からなる三重壁を形成する工程と、該筒状部に易破断部を形成する工程とを含むことを特徴とする。
請求項１５に記載の容器の封鎖構造の製造方法は、拡径操作により筒状部における直径が大なる部分を形成するか、または縮径操作により筒状部における直径が小なる部分を形成することを特徴とする。
拡径操作は公知の各種拡径方法、例えばバルジ成形法、回転ロール成形法、液圧法、放電成形法、爆発成形法、インクリメンタル成形法などが可能である。縮径操作は回転ロール成形、スエージ成形法などによっておこなうことができる。
請求項１６に記載の容器の封鎖構造の製造方法は、筒状部を軸方向に圧縮操作することにより折り返される部分が、予め他の部分よりも薄肉に形成されていることを特徴とする。
特に金属素材などを用いた場合、一部張出部を有するポンチとしごきダイスとを用いてしごき成形することにより部分的に薄肉部を形成することができる。
三重壁を形成する際、折り返し予定部分が薄肉であるため圧縮操作によってこの部分のみが優先的に変形するので、その他の部分に変形が及ばずにその都度安定した形状が得られる。また成形に要する力が低減できる利点がある。
請求項１７に記載の容器の封鎖構造の製造方法は、三重壁に螺子加工またはアンダーカット加工をして螺子係合部またはアンダーカット係合部を形成することを特徴とする。
螺子加工またはアンダーカット加工は加工用ジグを三重壁の内側と外側に配置しそれらが噛み合うようにして作用させることによって三重壁に螺子係合部またはアンダーカット係合部を一時に形成することができる。
請求項１８に記載の容器の封鎖構造の製造方法は、予め、キャップになる予定の部分ならびに注ぎ部分になる予定の部分のそれぞれに螺子もしくはアンダーカット形状を形成し、
筒状部を折りかえす変形をおこなうことによって三重壁を形成するとともにそれぞれの螺子もしくはアンダーカット形状が係合することを特徴とする。
例えばプラスチック原料を素材として射出成形等により予め螺子またはアンダーカット形状を形成できるので、三重壁を形成した後の螺子またはアンダーカット構造の形成の工程を省略できる利点がある。
請求項１９に記載の容器の封鎖構造の製造方法は、キャップ部になる予定の部分において螺子が形成される部分と、それが係合する螺子が形成される部分の連接する径路の途中部位に、ねじり力によって可撓なパネル形状を形成する工程を含むことを特徴とする。
発明を実施するための最良の形態
以下、本発明の実施の形態に係る容器の封鎖構造について、図面に基づいて詳細に説明する。
（実施の形態１）
図１は、本発明の実施の形態１の容器の封鎖構造を備えた容器の要部断面図であり、図２はキャップ部分を分離した状態の要部断面図である。
この形態１では、内壁、中間壁、外壁に螺子が形成されている例を示す。
図１、図２において、１０は実施の形態１の容器の封鎖構造、１１は内壁、１２は注ぎ部、１３は内壁１１の端部１１ａで折り返して形成された中間壁、１４は中間壁１３の下端から上方に折り返して形成された外壁、１５は中間壁１３の下端側に薄肉溝状にスコアを施した易破断部、１６は易破断部１５に連接して一体に延設された円筒状のカバー部１６ａと注ぎ部１２の開口を覆う円盤状の天板部１６ｂとを備えたキャップ部分、１７は中間壁１３とキャップ部分１６のカバー部１６ａにそれぞれ設けられた螺子係合部である。
本発明の封鎖構造は、ジュース缶、ビール缶、炭酸飲料缶、紅茶缶等に用いられるキャップ構造であり、金属素材、内面または外面に樹脂層等が被覆されたアルミ合金やスチール等の金属素材、プラスチック素材が好ましく適用され、容器本体の形状としては、その外形が円柱状や角柱状などのものが好ましく適用できる。
図示するように、実施の形態１の容器の封鎖構造１０は、内壁１１、中間壁１３、外壁１４それぞれが連続して一体的に形成された三重筒状の構造を有し、中間壁１３と外壁１４との下端連接部側に配置された易破断部１５を介して外壁１４が中間壁１３から分離可能に配置された構造となっている。
実施の形態１の封鎖構造１０は、連続して一体的に形成される注ぎ部１２、中間壁１３、キャップ部分１６の高さは、例えば５〜５０ｍｍ程度、キャップ部分１６の径は例えば２０〜１００ｍｍ程度に形成されることが好ましい。
このような構造の実施の形態１の封鎖構造１０は、例えば、図３の製造フロー図に示すような以下の工程（ａ）〜（ｅ）を用いて製造できる。
（ａ）アルミ合金板等の金属板Ａを深絞りして円筒状カップ（筒状部）Ｂに成形する。
（ｂ）中央に一部張出部を有するポンチを用いて再絞りをおこなうとともに、円筒状カップ（筒状部）Ｂの中央部Ｃ２を前記ポンチの張出部を当接させて薄肉化し、円筒状カップ（筒状部）Ｂに、上部Ｃ１、薄肉化した中央部Ｃ２、下部Ｃ３を形成する。
また、螺子加工された後に形成される突出部下部の外壁１４と中間壁１３との破断予定部に、刃状ロールＥ等を用いて薄肉溝状（スコア）や、部分的に貫通孔を形成した切り込み部（スリット）Ｓを有した易破断部１５を、円筒カップ（筒状部）Ｂ上部Ｃ１の下方に形成する（図７）。易破断部１５は、折り返し後に外壁１４となる部分の下部に位置するように円筒状カップ（筒状部）Ｂの廻りに刃状ロールＥを周回させて設ける。
なお、易破断部１５を形成させる工程としては、下記（ｃ）の拡径工程後に行ってもよい。
ここで、切り込み部（スリット）とは、部分的に貫通孔が形成されたスリット状、孔状、切り込み状のものをいい、易破断部１５に形成されているものをいう。
（ｃ）ブランクである円筒状カップ（筒状部）Ｂの上部Ｃ１を割型に挿入し、バルジ成形加工（図４参照）などの手段でウレタンなどの弾性体Ｕを用いて弾性体Ｕの変形により内部から外側に拡径して拡径部分Ｆを形成する。又はネッキング加工（図５参照）などの手段で、ネックインロールと支持ロールとを用いて外部から内側に縮径して縮径部分Ｇを形成する。
（ｄ）次に、円筒状カップ（筒状部）Ｂの頭部を加圧して、円筒状カップＢの高さ方向中央部に形成された中央部Ｃ２が中間壁１３となり、円筒状カップＢの上部Ｃ１が最も外側に配置されて外壁１４となるように、内壁１１、中間壁１３、外壁１４の円筒状の３重壁からなる突出部Ｘを形成させる。
この折り返し加工においては、円筒状カップ（筒状部）Ｂの上部Ｃ１を大径部として、大径部Ｃ１の下端を起点に中央部Ｃ２を外側に折り返す場合と（図６に示す形態Ｖ）、円筒状カップ（筒状部）Ｂの上部Ｃ１及び中央部Ｃ２を大径部として中央部Ｃ２の下端を起点に中央部Ｃ２を内側に折り返す場合とがある（図６の形態Ｗ）。
形態Ｖの場合も形態Ｗの場合も、加工後は図３（ｄ）に示すように同じ構造となる。なお、この折り返し加工において、少なくとも前記中央部Ｃ２を部分的に高周波誘導加熱などの手段を用いて予め熱処理しておくと、素材の軟化をもたらし加工が容易となる。
（ｅ）次に、突出部Ｘの内側と外側に螺子加工用ジグＤを押し当てて螺子加工して、螺子係合部１７を形成し、図１に示すような実施の形態１の封鎖構造１０が完成する。
なお、前記易破断部１５を形成する工程は、この螺子係合部１７を形成した後において行ってもよい。
本発明における螺子部の断面は図１をはじめとして、螺子山は外方に凸に描いてあるが螺子山の凸部の向きはこれに限定されずに形成することができる。例えば螺子山が内方に凸であってもよい。
（ｆ）  この封鎖構造を金属缶の端部に巻締め操作によって取り付けることができるように外周端にカール部Ｙを形成している（図２１に例示する）。このカール部Ｙの形成は常法により行うことができ、前記（ｂ）〜（ｆ）のいずれの段階でおこなってもよい。
また、特に有機被覆金属板を素材としている場合には被覆の密着力を維持する目的で工程の最終段階かもしくは途中段階で適宜加熱処理をおこなうことができる。
なお、図８に示すように、実施の形態１の封鎖構造に、密封材Ｐを付加して設け、再封後の密封性を向上させることもできる。
（実施の形態２）
図９に示す封鎖構造１０（２）は、前記実施の形態１の封鎖構造において、内壁１１及び中間壁１３に螺子係合部１７を形成し、外壁１４は平坦なカバー部１６ａとしたものである。このような、実施の形態２の封鎖構造１０（２）の製造方法は、以下のとおりである。
プラスチック材等を素材として射出成形法等により図１０に示す筒状部Ｂを形成する。
筒状部１０（２ａ）は、大径である上部Ｃ１，Ｃ１よりも小径である中央部Ｃ２および下部Ｃ３からなっており、これらは実質的に同軸で一体的に形成されている。
下部Ｃ３には螺子１７ｂが形成されている。中央部Ｃ２には螺子１７ｂと逆向きでピッチが等しい螺子１７ａと易破断部１５ａが形成されている。また中央部Ｃ２の厚さはＣ１およびＣ３より薄肉に形成されている。
頭部１４ｂを加圧することにより上部Ｃ１の下端１４ａを起点として折り返し変形が開始し、他の部分よりも薄肉である中央部Ｃ２が順次折り返される。
その結果、中央部Ｃ２に形成されていた螺子１７ａは反転して螺子１７ｂと同方向で同一ピッチの螺子となって螺子１７ｂと係合し、図９に示す１０（２）の封鎖構造が完成する。
なお、このようにして形成された封鎖構造１０（２）に対して、加工による残留応力を開放するための熱処理を適宜行うことが望ましい。
（実施の形態３）
図１１に示す封鎖構造１０（３）は、前記実施の形態１の封鎖構造において、外壁１４及び中間壁１３に螺子係合部１７を形成し、内壁１１は平坦な注ぎ部分１２としたものである。このような、実施の形態３の封鎖構造１０（３）の製造方法は、以下のとおりである。
プラスチック材等を素材として射出成形法等により図１２に示す筒状部１０（３ａ）を形成する。
筒状部１０（３ａ）は、大径である上部Ｃ１、Ｃ１よりも小径である中央部Ｃ２および下部Ｃ３からなっており、これらは実質的に同軸で一体的に形成されている。
上部Ｃ１には螺子１７ｄと易破断部１５が形成されている。中央部Ｃ２には螺子１７ｄと逆向きでピッチが等しい螺子１７ｃが形成されている。また中央部Ｃ２の厚さはＣ１およびＣ３より薄肉に形成されている。
頭部１４ｃを加圧することにより上部Ｃ１の下端１４ｄを起点として折り返し変形が開始し、他の部分よりも薄肉である中央部Ｃ２が順次折り返される。
その結果、中央部Ｃ２に形成されていた螺子１７ｃは反転して螺子１７ｄと同方向で同一ピッチの螺子となって螺子１７ｄと係合し、図１１に示す１０（３）の封鎖構造が完成する。
なお、このようにして形成された封鎖構造１０（３）に対して、加工による残留応力を開放するための熱処理を適宜行うことが望ましい。
次に、実施の形態１〜３の封鎖構造の使用方法について説明する。
まず、封鎖構造の外壁１４（キャップ部分１６）を掴んで回転させてせん断力を付与する。これにより易破断部１５が破断してキャップ部分１６が中間壁１３に対して独立に回転して開口し、図２に示すように分離し、注ぎ部１２から中の飲料をコップに注いだり、直接飲んだりすることができるようになる。
なお、易破断部１５にその肉薄部分を牽引して切り開くための牽引タブ等の分離具を予め設けておき、この牽引タブを引くことで外壁１４（キャップ部分１６）を中間壁１３の下端から分離するようにしてもよい（図１３参照）。
容器に飲み残しが生じた場合には、外壁１４（キャップ部分１６）を中間壁１３に被せて回転させ、それぞれに設けた螺子係合部１７により両者を確実に固定して封止することができる。
実施の形態１〜３の容器の封鎖構造は以上のように構成されているので、以下の優れた作用を有する。
（１）外壁１４（キャップ部分１６）及び内壁１１（注ぎ部１２）が一体になって形成されているので、容器製造の際の生産性や、輸送中等における耐久性に優れる。
（２）外壁１４（キャップ部分１６）と内壁１１（注ぎ部１２）との境界部分に易破断部１５が設けられているので、幼児や高齢者等でも易破断部１５を操作してその破断状態を観察しながら確実に開封できると共に、再封鎖時にはキャップ部分１６を注ぎ部１２の中間壁１３に容易に装着して衛生的に維持できる。
（３）中間壁１３の弾性を利用して、易破断部１５を分断した開封後におけるキャップ部分１６の装着操作を確実に行うことができる。
（４）中間壁１３とキャップ部分１６が螺子係合部１７を介して着脱可能に装着されるので、易破断部１５を分離した容器開封後における飲み残しなどを衛生的に保持させることができ、その取り扱い性に優れている。
（実施の形態４）
図１４は本発明の実施の形態４の容器の封鎖構造の要部断面図であり、図１５はキャップ部分を取り外した状態の要部断面図である。
図１４、図１５において、２０は実施の形態４の容器の封鎖構造、２１は注ぎ部、２２は注ぎ部２１の端部２１ａで折り返して筒状に形成された中間壁、２３は中間壁２２又はカバー部２４ａの下端側に薄肉溝状に周回して形成された易破断部、２４は易破断部２３に連接して中間壁２２に延設された、筒状のカバー部２４ａと注ぎ部２１の開口を覆う天板部２４ｂとを備えたキャップ部分、２５はキャップ部分２４の周壁の下端から内側に突出して形成された嵌合係合部、２６は嵌合係合部２５が係止される中間壁２２に形成された凹部、Ｐはキャップ部分２４の天板部２４ｂに接着又は嵌着されて配置されたゴムや合成樹脂等の弾性体や可塑体からなるドーナツ状の密封材である。
なお、実施の形態４の容器の封鎖構造２０（１）は、
▲１▼開封後のキャップ部分２４が中間壁２２に嵌合係合部２５を介して嵌着自在に配置されている点（いわゆるアンダーカット方式にした嵌合係合部形成）と、
▲２▼キャップ部分２４の天板部２４ｂに密封材Ｐが配置されている点とで実施の形態１のものと異なっている。
本実施の形態４における封鎖構造２０（１）においても、連続して一体的に形成される注ぎ部２１、中間壁２２、キャップ部分２４の高さは、例えば５〜５０ｍｍ程度、キャップ部分２４の径は例えば２０〜１００ｍｍ程度に形成されることが望ましい。
嵌合係合部２５及び嵌合係合部２５が嵌着される凹部２６は、前記実施の形態３で説明した製造方法における螺子部に替えて、アンダーカット形状に変更して形成させることができる。
なお、易破断部２３を破断した後には、中間壁２２が弾性的に拡径して、中間壁２２に形成した凹部２６と、キャップ部分２４下端側の嵌合係合部２５とが弾性的に係合する。
密封材Ｐは、例えばゴムや合成樹脂などを素材として薄肉ドーナツ円盤状に形成され、キャップ部分２４内側の天板部２４ｂを覆うように嵌着又は接着して配置される。または、前記した図３において、円筒状カップＢの中央部の薄肉部Ｃの下端部内周において密封材Ｐを予め塗布又は接着してもよい。
このようにすることで、後の工程で、この密封材Ｐは注ぎ口２１の端部２１ａに位置して、キャップ部分内面と注ぎ部分との間に介在する形になる。その他に金属素材として、予め内面側に有機被覆を施した塗装板またはラミネート板を用いることでこの被覆材に密封材の役割を持たせることも可能である。これによって、易破断部２３を破断して分離されたキャップ部分２４を注ぎ部２１に被せる際に、注ぎ部２１の端部２１ａに形成された密封材Ｐが密着して容器内の液が漏れ出すことを有効に防止することができる。
このようなスリット状等の切り込み部（スリット）Ｓをキャップ部分２４の下端側の周壁に沿って配置させて形成した易破断部２３は、容器本体を一体成形後にキャップ部分２４の外周壁下端側の周回位置を、例えば刃状ロールなどを用いてミシン目状などに切断して形成させることができる。
このようなスリットＳが形成されているので、力が弱い人でも易破断部２３の破断をさらに容易にできる。なお、完全な開口を形成させることなく、薄肉の部分を連続して配置して易破断部２３を形成させることもできる。
なお、嵌合係合部２５及び嵌合係合部２５が嵌着される凹部２６は、図１６に示すように、中間壁２２とカバー部２４ａにそれぞれ突起部２７、２８を設け、その下端と上端とで嵌合させるようにすることもできる。また、図１７に示すように、密封材Ｐを省略することもできる。
実施の形態４の容器の封鎖構造は以上のように構成されているので、以下の優れた作用を有する。
（１）容器の封鎖構造が連続して一体的に形成されているので、輸送中の振動などでもキャップ部分が外れるようなことがなく耐久性に優れて、製造も容易にできる。
（２）スリット状、孔状、切り込み状等の貫通孔を部分的に有した易破断部２３が設けられているので、幼児や高齢者等の力の弱い人でも容易に破断させることができ、開封性に優れている。
（３）中間壁２２の弾性を有効に利用でき、易破断部２３を分断した開封後において、キャップ部分２４の装着操作を確実に行え、嵌合係合部２５を備えたキャップ部分２４を中間壁２２に押し込むだけのワンタッチ操作で装着でき、幼児や高齢者でも容易に取り扱うことができる。
（４）易破断部２３にスコアやスリット状や孔状の貫通孔が形成されているので、容器の封鎖構造の製造に際して、容器肉厚の調整が不要であり穿孔用の刃状ロール等を用いて容易に形成でき、容器等を安価に製造できる。
（５）キャップ部分２４の天板部２４ｂに密封材Ｐが配置されているので、注ぎ部２１の再封鎖時におけるキャップ部分２４のシール性を向上させ、容器本体が傾いたり逆さまになったりした場合や移動中の場合でも、容器中の飲み残しなどが漏れだすようなことがなく衛生的に保持できる。
（実施の形態５  ねじり可撓パネル）
図１８は、本発明の実施の形態５の容器の封鎖構造の一部断面図を示す。本発明の実施の形態５の容器の封鎖構造は、外壁１４に形成された易破断部２３の近傍に，山折り５２と谷折り５３からなるねじり可撓パネル５１が形成されている点で、実施の形態１の封鎖構造と異なる。ねじり可撓パネルの形状としては様々な形状のものが適用可能であるが図１８はその一例であり、キャップ部１６に形成された場合を例示している。
ねじり可撓パネルを形成する位置が，キャップ部１６に形成されている螺子とそれと係合している螺子の連接する径路の途中部位にあることによって，キャップ部をねじることにより該パネルが撓み、その分だけキャップ部１６が回転して、係合している螺子間に回転変位が生じて、螺子の推力を発生できる。
キャップ部１６に形成されている螺子とそれと係合している螺子の連接する径路の途中部位とは，たとえば図１８ではキャップ部１６の螺子部５４の下端部５４ａから始まり，これより下方に位置する折り返し端部５６を経て，中間壁における螺子部５５の下端部５５ａに至る経路の途中部位のいずれかである。
図１９はねじり可撓パネルを説明する部分拡大図である。パネル幅ｈはキャップ部分１６の長さなどによって適宜決定できるが、およそキャップ部１６の直径の１／５から１／２５程度である。折れ線からなる平行四辺形ＡＢＣＤ（厳密には筒状面上にあるため対辺はわずかながらねじれの位置関係にある）を基本単位として、これが連続して周上に形成されている。平行四辺形ＡＢＣＤの周上の個数ｎはキャップ部１６の直径、厚さ、強度特性等によって最適範囲がある。特に限定されないが一例を示すと、材質がアルミニウム合金で、パネル部分の直径が３３ｍｍ、肉厚が０．２８ｍｍ、パネル幅ｈが３ｍｍとしたときｎ＝１４〜１８にとることができる。自明だが、一辺ＢＣの長さはキャップ部の周長の１／ｎである。角度∠ＡＢＣは５°〜９０°、特に１５°〜７０°の範囲にとることができる。辺ＡＢ、辺ＢＣ、辺ＣＤ、辺ＤＡはキャップ部１６の外側から見て山折り（実線で示す）であり、辺ＢＤは谷折り（破線で示す）である。
このようなねじり可撓パネルにおいて、図１９でＢＣ側を固定として、ＡＤ側をＡからＤに向かう方向にねじるとパネル幅ｈが減少するように変形しながら三角形ＡＢＤと三角形ＣＢＤがキャップ部内方にそれぞれ折り重なるように変形するのでパネルの上部と下部の間にねじり変位を生じさせることができる。
このようなねじり可撓パネルは、単に山折りと谷折りをくり返すパターンで構成されるため、加工部位において例えば内側と外側から成形ロールを噛み合わせるようにして周上を移動させながら順次形成することができる。なお、通常この工程は三重壁を形成する前段階においておこなうことが好適である。また，このねじり可撓パネルを特に低いねじりトルクで撓ませるために，適宜この部分を予め薄肉に形成しておくか，または加熱処理等により軟化させておいてもよい。ねじりによる剪断応力に、このねじの推力による引張り応力が付加されることにより、近傍に設けられた易破断部２３が容易に破断されるという作用効果が生ずる。
（実施の形態６  容器）
図２０は本発明の実施の形態６の容器の封鎖構造を備えた容器の要部断面図であり、図２１は容器の封鎖構造を備えた容器の変形例の断面図である。
図２０、図２１において、３０は実施の形態６の容器の封鎖構造を備えた容器、３１は周壁部、３２は注ぎ部分、３３は注ぎ部分３２の上部に薄肉溝状等に形成された易破断部３４を介して連続して一体的に延設されたキャップ部分、３５は開口した容器本体の周壁部３１の下端部にその縁部が巻き締められて固定された底蓋部（図２０の場合）である。
図２１は、封鎖構造と容器本体３９とを容器開口端部３９ａで巻締めによって接合した状態を示す断面図である。容器３０はアルミ合金、スチール等の金属材を素材として形成されるが、ポリエチレンやポリエチレンテレフタレート等のプラスチック材を用いることもでき、その用途や製造コスト等に応じて、深絞り成形、しごき加工、押し出し成形、射出成形等の種々の成形方法や材料のものを選択して用いることができる。
図２０、図２１において、易破断部３４、３７には、その部分を牽引する引き手等のタブやその薄肉状溝部の内部に沿って周回する金属線等などを設けることができ、これを引くことにより容易に開封することもできる。
易破断部３４、３７を切断して、キャップ部分３３、３８を注ぎ部分３２、３６から分離した後は、キャップ部分を注ぎ部分３２、３６に押し込んで嵌着させて再封止することができる。
底蓋部３５は、容器本体に中身となる飲料等を充填した後、公知の接合手段を用いて、開口した容器本体の周壁部３１下端に金属材の場合は巻き締めたり、プラスチック材の場合は溶着あるいは接着して接合することができる。
実施の形態６の容器の封鎖構造を備えた容器３０は以上のように構成されているので、以下の作用を有する。
（１）全体を金属素材で形成する場合は、加工性に優れた金属材を選択して、深絞り加工、しごき加工等を適用して成形でき、衝撃に対する耐用性や耐液漏れ性に優れた容器を提供できる。
（２）全体をプラスチック素材で成形する場合は、射出成形や押し出し成形等の技術が適用でき、容器の封鎖構造を大量に製造する際の製造コストを引下げることができる。
（３）容器本体下部に底蓋部３５を取り付けることにより全体が封止されるので、飲料等を注ぎ部分を下にした状態で充填した後、その密封工程を容易に行うことができ、飲料缶等の適用に優れている。
（４）易破断部３４、３７の部分を容易に開封でき、飲み残しが生じた時にはキャップ部分３３、３８を用いて再封止して保存することもでき、取り扱い性に優れている。
（５）易破断部３４、３７は薄肉溝状やスリット状に形成されているので開封する際、これらが破断し独特の音響もしくは手応えが感じられ、最初に開封したことが明確に判別できる。一度開封したものは再び破断部を修復することは不可能であるためタンパーエビデント性を有する。
なお、これまで示した実施の形態１〜５では、易破断部の位置を外壁の下方部として例示して説明した部分もあるが、本発明においてはこの位置に限定せず、他の位置、例えば中間壁の下方部乃至上方部の何れかに設けることも可能である。
産業上の利用可能性
請求項１に記載の容器の封鎖構造によれば、容器製造の際の生産性に優れ、輸送中等における耐久性に優れた容器の封鎖構造とすることができる。また、易破断部を用いて幼児や高齢者等でも容器を確実に開封できる。
請求項２に記載の容器の封鎖構造によれば、例えば、アルミやスチール等の金属素材で形成された中間壁の端部側を拡大又は縮小させる方向の弾性を高めることができ、易破断部を分断した開封後におけるキャップ部分を注ぎ部分の中間壁に確実に装着できる。
請求項３に記載の容器の封鎖構造によれば、易破断部を分離した容器開封後における飲み残しなどを衛生的に保持させることができる。
請求項４に記載の容器の封鎖構造によれば、単にキャップ部分をねじ込むだけで再封できるので、取り扱い性に優れる。
請求項５に記載の容器の封鎖構造によれば、キャップ部をねじることでねじり可撓パネルの上下が圧縮されたように変形し、ねじりトルクによりねじの推力が生じる。剪断応力に、このねじの推力による引張り応力が付加されることにより、易破断部が容易に破断されるので開封が容易になる。
請求項６に記載の容器の封鎖構造によれば、押し込むだけのワンタッチ操作で再封装着でき、幼児や高齢者でも容易に取り扱うことができる。
請求項７に記載の容器の封鎖構造によれば、易破断部が破断して、キャップ部分が分離することで容器から内容物を注ぎ出すことが可能になると共に、分離したキャップ部分は、再封鎖する目的で再び利用可能になる。
請求項８に記載の容器の封鎖構造によれば、易破断部をスコアによって形成して構成されている。この構成により、確実かつ容易に易破断部を形成することが可能になる。
請求項９に記載の容器の封鎖構造によれば、開封性を向上させる効果がある。
請求項１０に記載の容器の封鎖構造によれば、再封鎖時における密封性を向上させ、特にアンダーカット構造による係合の場合に有効である。
請求項１１に記載の容器の封鎖構造によれば、加工性に優れた金属素材を適用でき、内壁、中間壁、外壁からなる三重壁を形成させる際の折り返し加工を容易にして、耐用性や耐漏洩性に優れた容器の密封構造を提供することができる。
請求項１２に記載の容器の封鎖構造によれば、この構成によって、射出成形や押し出し成形等の成形法が適用でき、容器の封鎖構造を大量に製造する際の製造コストを引き下げることができる。
請求項１３に記載の容器によれば、内容品の充填密封は容器本体下部から行うことができ、従来形態の缶蓋を用いることができるため、既存の充填設備の大部分が利用可能である。
請求項１４に記載の容器の封鎖構造の製造方法によれば、実施の形態１または６に対応する封鎖構造を既存の設備を用いて製造することができる。
請求項１５に記載の容器の封鎖構造の製造方法によれば、実施の形態１または３に対応する封鎖構造を既存の設備を用いてより容易に製造することができる。
請求項１６に記載の容器の封鎖構造の製造方法によれば、実施の形態１または５に対応する封鎖構造を既存の設備を用いてより安定的に製造することができる。
請求項１７に記載の容器の封鎖構造の製造方法によれば、実施の形態１または５に対応する封鎖構造を、既存の設備を用いて製造することができる。
請求項１８に記載の容器の封鎖構造の製造方法によれば、実施の形態２または３に対応する封鎖構造を、既存の設備を用いてより簡略に製造することができる。
請求項１９に記載の容器の封鎖構造の製造方法によれば、実施の形態５に対応する封鎖構造を、既存の設備を用いて製造することができる。
【図面の簡単な説明】
図１は、実施の形態１の容器の封鎖構造を示す概略断面図である。
図２は、実施の形態１の容器の封鎖構造のキャップ部分を分離した状態の概略断面図である。
図３は、実施の形態１の容器の封鎖構造の製造工程を示すフロー図である。
図４は、拡径加工におけるバルジ成形の概要を示す概略説明図である。
図５は、縮径加工におけるネッキング加工の概要を示す概略説明図である。
図６は、折り返し加工における変形過程の違いを説明する概略説明図である。
図７は、実施の形態１において易破断部（スリット）が形成された封鎖構造の概略説明図である。
図８は、実施の形態１の他の変形例を示す概略説明図である。
図９は、実施の形態２の容器の封鎖構造を示す概略断面図である。
図１０は実施の形態２の完成に至る前段の成形体を示す概略断面図である。
図１１は、実施の形態３の容器の封鎖構造を示す概略断面図である。
図１２は実施の形態３の完成に至る前段の成形体を示す概略断面図である。
図１３は、易破断部を切り開くための牽引タブを設けた例を示す概略説明図である。
図１４は、実施の形態４の容器の封鎖構造を示す概略説明図である。
図１５は、実施の形態４の容器の封鎖構造のキャップ部分を分離した状態を示す概略説明図である。
図１６は、実施の形態４の変形例を示す概略説明図である。
図１７は、実施の形態４の他の変形例を示す概略説明図である。
図１８は、実施の形態５の容器の封鎖構造を示す概略説明図である。
図１９は、実施の形態５の容器の要部概略説明図である。
図２０は、実施の形態６の容器の要部断面図である。
図２１は、実施の形態６の変形例の容器の断面図である。
【図１】
2003057583.tif 000003
【図２】
2003057583.tif 000004
【図３】
2003057583.tif 000005
【図４】
2003057583.tif 000006
【図５】
2003057583.tif 000007
【図６】
2003057583.tif 000008
【図７】
2003057583.tif 000009
【図８】
2003057583.tif 000010
【図９】
2003057583.tif 000011
【図１０】
2003057583.tif 000012
【図１１】
2003057583.tif 000013
【図１２】
2003057583.tif 000014
【図１３】
2003057583.tif 000015
【図１４】
2003057583.tif 000016
【図１５】
2003057583.tif 000017
【図１６】
2003057583.tif 000018
【図１７】
2003057583.tif 000019
【図１９】
2003057583.tif 000020
【図１８】
2003057583.tif 000021
【図２０】
2003057583.tif 000022
【図２１】
2003057583.tif 000023
【手続補正書】
【提出日】平成15年6月5日(2003.6.5)
【手続補正１】
【補正対象書類名】明細書
【補正対象項目名】特許請求の範囲
【補正方法】変更
【補正の内容】
【特許請求の範囲】
【請求項１】
注ぎ部分とキャップ部分を連続して一体的に形成すると共に、易破断部を設け、前記注ぎ部分と前記キャップ部分が、内壁の上端部から下方に折り返している中間壁と、該中間壁の下端部から上方に折り返している外壁とからなることを特徴とする容器の封鎖構造。
【請求項２】
係合部を形成したことを特徴とする請求項１に記載の容器の封鎖構造。
【請求項３】
前記係合部が螺子であることを特徴とする請求項２に記載の容器の封鎖構造。
【請求項４】
前記キャップ部に形成された螺子と、それと係合している螺子との連接する径路の途中部位に、ねじり力によって可撓なパネル形状を形成させたことを特徴とする請求項３に記載の容器の封鎖構造。
【請求項５】
前記係合部がアンダーカット構造であることを特徴とする請求項４に記載の容器の封鎖構造。
【請求項６】
前記易破断部を前記注ぎ部分と前記キャップ部分の境界に形成したことを特徴とする請求項１〜５のいずれかに記載の容器の封鎖構造。
【請求項７】
前記易破断部をスコアによって形成したことを特徴とする請求項１〜６のいずれかに記載の容器の封鎖構造。
【請求項８】
前記易破断部をスリットによって形成したことを特徴とする請求項１〜７のいずれかに記載の容器の封鎖構造。
【請求項９】
前記キャップ部分内面と前記注ぎ部分との間に密封材を介在させたことを特徴とする請求項１〜８のいずれかに記載の容器の封鎖構造。
【請求項１０】
前記容器の封鎖構造が金属素材で形成されていることを特徴とする請求項１〜９のいずれかに記載の容器の封鎖構造。
【請求項１１】
前記容器の封鎖構造がプラスチック素材で形成されていることを特徴とする請求項１〜９のいずれかに記載の容器の封鎖構造。
【請求項１２】
請求項１〜１１のいずれかに記載の容器の封鎖構造を備えたことを特徴とする容器。
【請求項１３】
実質的に同軸で少なくとも一部分が他の部分と直径が異なる筒状部を一体的に形成する工程と、
該筒状部を軸方向に圧縮操作することにより折り返し変形を生じさせながら該筒状部の直径が大なる部分の内側に直径が小なる部分が配置され、内壁、中間壁、外壁からなる三重壁を形成する工程と、
該筒状部に易破断部を形成する工程とを含むことを特徴とする容器の封鎖構造の製造方法。
【請求項１４】
拡径操作により筒状部における直径が大なる部分を形成するか、または縮径操作により筒状部における直径が小なる部分を形成することを特徴とする請求項１３に記載の容器の封鎖構造の製造方法。
【請求項１５】
筒状部を軸方向に圧縮操作することにより折り返される部分が、予め他の部分よりも薄肉に形成されていることを特徴とする請求項１３または１４に記載の容器の封鎖構造の製造方法。
【請求項１６】
三重壁に螺子加工またはアンダーカット加工をして螺子係合部または嵌合係合部を形成することを特徴とする請求項１３〜１５のいずれかに記載の容器の封鎖構造の製造方法。
【請求項１７】
予め、キャップになる予定の部分ならびに注ぎ部分になる予定の部分のそれぞれに螺子もしくはアンダーカット形状を形成し、
筒状部を折り返す変形をおこなうことによって三重壁を形成するとともにそれぞれの螺子もしくはアンダーカット形状が係合することを特徴とする請求項１３〜１５のいずれかに記載の容器の封鎖構造の製造方法。
【請求項１８】
前記キャップ部になる予定の部分において螺子が形成される部分と、それが係合する螺子が形成される部分との連接する径路の途中部位に、ねじり力によって可撓なパネル形状を形成する工程を含むことを特徴とする請求項１６または１７に記載の容器の封鎖構造の製造方法。
【国際調査報告】
2003057583.tif 000024
2003057583.tif 000025
2003057583.tif 000026
2003057583.tif 000027